(57)【要約】【課題】容易に展開、収納ができ、軽量で持ち運び可能である携帯式パーテーションを提供する。【解決手段】携帯式パーテーション１は、スプリングワイヤーからなる枠体１０とその内側に貼付された可撓性シート１１とから構成されたパーテーション部２と、パーテーション部２を自立可能に支持するスタンド部１２を有する。スプリングワイヤーからなる枠体１０を把持し、８の字になるように捻曲し、さらに枠体１０を二つ折り又は三つ折りにすることで携帯式パーテーション１を小さく畳むことができる。【選択図】図３
0003234145.tif 000002
【実用新案登録請求の範囲】
【請求項１】
パーテーション部と、前記パーテーション部を自立可能に支持するスタンド部と、を有し、
前記パーテーション部は、捻曲可能な環状のスプリングワイヤーからなる枠体と、前記枠体の内側に貼付された可撓性シートと、から構成され、
前記可撓性シートは、前記枠体を捻曲した際に、前記枠体に合わせて変形することを特徴とする携帯式パーテーション。
【請求項２】
前記可撓性シートが、着脱可能である請求項１に記載の携帯式パーテーション。
【請求項３】
前記スタンド部が、伸縮自在である請求項１または２に記載の携帯式パーテーション。
【請求項４】
前記スタンド部が、着脱可能である請求項１から３のいずれかに記載の携帯式パーテーション。
【請求項５】
前記スタンド部は、端部に吸盤を有している請求項１から４のいずれかに記載の携帯式パーテーション。
【考案の詳細な説明】
【技術分野】
【０００１】
本考案は、飛沫防止用の携帯式パーテーションに関する。
【背景技術】
【０００２】
昨今、新型コロナウィルス感染症の世界的な流行が大きな問題となっており、その影響で生活様式も様変わりしつつある。
【０００３】
また、新型コロナウィルス感染症の主な感染経路は、飛沫感染や接触感染と言われていることから、近年、飛沫防止のための感染予防対策のひとつとして、パーテーションが使用されることが多くなっている。
このような飛沫防止用のパーテーションは、空間を間仕切るために用いられ、一般的に地面や机の上に自立させて使用される。
【０００４】
一方で、商談や食事等の移動先で手軽に使用したいというニーズもあり、持ち運び可能な携帯式パーテーションが求められている。このような携帯式パーテーションとして、例えば、特許文献１には、合成樹脂製のシート体を有し、折り畳み可能なパーテーションが開示されている。また、特許文献２では、プラスチック製の羽根片を有し、重畳し収納することのできるパーテーションが示されている。
【先行技術文献】
【特許文献】
【０００５】
【特許文献１】実用新案登録第３２２８４２９号公報
【特許文献２】特許第６８５６９６１号公報
【考案の概要】
【考案が解決しようとする課題】
【０００６】
従来の携帯式パーテーションは、自立の安定性からプラスチックなどのかたい素材でできているものが多いため、小型化や軽量化するには限界があるのが実情である。
【０００７】
かかる状況下、本考案は、容易に展開、収納ができ、持ち運やすい携帯式パーテーションを提供することを目的とする。
【課題を解決するための手段】
【０００８】
本考案者は、上記課題を解決すべく鋭意研究を重ねた結果、下記の考案が上記目的に合致することを見出し、本考案に至った。
【０００９】
本考案の携帯式パーテーションは、パーテーション部と、前記パーテーション部を自立可能に支持するスタンド部とを有し、前記パーテーション部は、捻曲可能な環状のスプリングワイヤーからなる枠体と、前記枠体の内側に貼付された可撓性シートと、から構成され、前記可撓性シートは、前記枠体を捻曲した際に、前記枠体に合わせて変形することを特徴とする。
このような構成であれば、使用者は、パーテーション部を展開し、自立させて使用することにより、空間を間仕切ることができ、飛沫を防止できると共に、パーテーション部を捻曲することにより、折りたたんで変形させコンパクトにできるため、収納が容易になる。
【００１０】
また、本考案の携帯式パーテーションは、前記可撓性シートが着脱可能であることが好ましい。このような構成をすることによって、可撓性シートを取り換えることができ、パーテーション部の用途に応じてシートを変更でき、かつ、汚染された可能性のあるシートを適宜交換できる。可撓性シートには典型的には透明シート（透明フィルム）が使用されるが、着色シート（着色フィルム）も使用できる。
【００１１】
また、本考案の携帯式パーテーションは、前記スタンド部が伸縮自在であることが好ましい。パーテーション部を変形させて折り畳んだ際に、スタンド部を短く収納することにより、全体的にコンパクトになり、携帯性が改善する。また、パーテーションとして使用する際に、接触面に段差であってもスタンド部の長さを接触面に合わせて変更することにより、パーテーション部をより自立可能に支持することができる。
【００１２】
また、本考案の携帯式パーテーションは、前記スタンド部が着脱可能であることが好ましい。このような構成をすることによって、用途に応じて、形状や大きさの異なるパーテーション部に変更することができ、かつ、パーテーション部とスタンド部を取り外して収納できるため、全体的にコンパクトになり、携帯式パーテーションの携帯性が向上する。
【００１３】
また、本考案の携帯式パーテーションは、前記スタンド部の端部に吸盤を有することが好ましい。吸盤を有することによって、スタンド部の端部が接触面に固定でき、パーテーション部が安定して自立でき、使用性が向上する。また、吸盤で固定できるため、地面や机以外にも、壁や天井などに固定して使用することもできる。
【考案の効果】
【００１４】
本考案によれば、容易に展開、収納することができ、持ち運びやすい携帯式パーテーションが提供される。
【図面の簡単な説明】
【００１５】
【図１】本考案の実施形態に係る携帯式パーテーションの全体写真（展開状態）である。
【図２】本考案の実施形態に係る携帯式パーテーションの使用態様を示す写真（収納状態）である。
【図３】本考案の実施形態に係る携帯式パーテーションの収納過程を示す写真であり、（ａ）は展開状態、（ｂ）は捻曲状態、（ｃ）は収納状態、を示す。
【図４】本考案の他の実施形態のパーテーション部（ハート型）を示す写真である。
【図５】本考案の他の実施形態のパーテーション部（動物型）を示す写真である。
【考案を実施するための形態】
【００１６】
以下、本考案の実施形態について、例示物を示して説明するが、本考案は以下の例示物等に限定されるものではなく、本考案の要旨を逸脱しない範囲において任意に変更して実施できる。
【００１７】
図１は、本考案の実施形態に係る携帯式パーテーション１の全体写真である。図１は、パーテーション部２を広げた状態である展開状態を示している。
図１は、枠体１０とその内側に貼付された可撓性シート１１とから構成されたパーテーション部２と、パーテーション部２を自立可能に支持するスタンド部１２を有する。図２にはパーテーション部２を折り畳んだ状態である収納状態の写真を示している。
【００１８】
枠体１０は、適度な強度と柔軟性を有する捻曲可能な環状のスプリングワイヤーからなり、枠体１０の内側には可撓性シート１１が貼られている。また、枠体１０と可撓性シート１１から構成されたパーテーション部２には、自立可能に支持するためのスタンド部１２を有し、自立可能な状態で展開できる。
本実施形態では、スプリングワイヤーを覆うようにテープ部材が使用されているが、パーテーション部２の形状を維持することができれば、使用しなくても良い。テープ部材を使用する場合は、色や素材は特に限定されず、任意で変更可能である。
【００１９】
本実施形態に係る携帯式パーテーション１では、パーテーション部２（枠体１０）は、横３７ｃｍ、高さ５０ｃｍの略長方形（平面視）としているが、パーテーション部２の大きさや形状は任意であり、目的の応じ適宜変更可能である。例えば、携帯式パーテーション１は１人用を想定しているが、２人用として、横幅を長く設計しても良い。なお、実施形態に係るパーテーション部２は略長方形の形をしているが、特に限定されるものではなく、円形、正方形、三角形、などの形でも良い。パーテーション部２の他の形態として、例えば、ハート型（図４）、動物型（図５）、などの形が挙げられる。
また、パーテーション部２（枠体１０）を構成するスプリングワイヤーの太さは、材質、機械的強度、捻曲性等を考慮して適宜選択され、典型的には３ｍｍ程度である。
【００２０】
また、本実施形態では、可撓性シート１１は枠体１０の内側に貼付されて取り外せないように固定されているが、可撓性シート１１を着脱可能にしてもよい。
着脱方法としては、可撓性シート１１に引っ掛け部材を備え、枠体１０に着脱させる引っ掛け式での方法が挙げられるが、着脱方法としては特に限定されない。その他の方法として、例えば、テープ式、ボタン式による着脱方法がある。
可撓性シート１１を着脱可能にすることによって、可撓性シート１１を交換できるため、使用後、消毒のためにシートを拭く手間も省け、鞄の中などに入れて持ち運ぶ際でも、鞄の中への汚染の拡大を防止でき、感染予防の観点からも安全である。
【００２１】
本実施形態の可撓性シート１１では、厚さ約０．１ｍｍのポリ塩化ビニル（ＰＶＣ）製の孔のないシート部材（フィルム部材）を使用している。可撓性シート１１の厚さは、薄く、破れにくく、かつ、柔軟性を有していれば、特に限定されない。例えば、厚さは０．１〜０．５ｍｍ程度の厚さが挙げられる。
【００２２】
また、本実施形態の可撓性シート１１では透明シート部材が用いられているが、透明に限定されることはなく、半透明や不透明、色付きでも可能である。可撓性シートの素材については特に限定されないが、ポリ塩化ビニル、ポリエステル、ポリエチレン、ポリプロピレンなどが挙げられる。
【００２３】
スタンド部１２は、携帯式パーテーション１が自立可能な状態を維持できる形状であればよく、パーテーション部２の大きさや形状に応じて、自立可能に支持できる範囲で適宜調整できる。また、スタンド部１２の形状や数は限定されず、任意で変更可能である。
本実施形態ではスタンド部１２は１４ｃｍの長さで設計されているが、それぞれ任意の長さに設計できる。
また、スタンド部１２の長さを変更可能にするために、スタンド部１２自体が伸縮自在な構造でも良い。
【００２４】
本実施形態では、スタンド部１２の縦方向に切り込みを入れることによって形成された凹溝にパーテーション部２を挟着することで保持している。スタンド部１２とパーテーション部２の保持方法はこれに限定されず、パーテーション部２が自立可能に支持されるのであれば、適宜変更可能である。
【００２５】
また、本実施形態では、スタンド部１２はパーテーション部２に取り外せないように固定されているが、スタンド部１２は着脱可能にしてもいい。
着脱方法としては、スタンド部１２の上方部に凹溝を作り、パーテーション部２を着脱可能にする嵌め込み方式が挙げられるが、着脱方法としては、パーテーション部２が自立可能に支持されるのであれば、特に限定されない。その他の方法として、例えば、スタンド部１２にマグネットを配し、パーテーション部２を着脱可能するマグネット方式などがある。
【００２６】
スタンド部１２はプラスチック素材のものを使用しているが、自立可能であれば、特に限定されない。スタンド部１２が伸縮可能である場合は、構造を適宜変更可能であるが、例えば、バネ式やジャッキ式、ジャバラ式などの構造が挙げられる。
【００２７】
また、本実施形態では、スタンド部１２の端部には、吸盤１３を有しているが、携帯式パーテーション１自体が自立可能になるのであれば、部材については限定されず、机や壁などの接触面の素材に応じて適宜変更可能である。
【００２８】
図４は本考案の他の実施形態に係る携帯式パーテーションのパーテーション部２における形状例を示す写真である。
図４のパーテーション部２は、ハート型の形状である。図４のパーテーション部２は、環状のスプリングワイヤーからなる枠体１０の内側に、ハート型の可撓性シート１１が貼付されて固定されている。
また、図４のパーテーション部２では、テープ部材は使用しておらず、パーテーション部２のハート型の形状を維持している。
【００２９】
図５は本考案の他の実施形態に係る携帯式パーテーションのパーテーション部２における形状例を示す写真である。
図５のパーテーション部２は、動物型の形状である。図５のパーテーション部２は、環状のスプリングワイヤーからなる枠体１０の内側に動物型の可撓性シート１１が貼付されて固定されている。
また、図５のパーテーション部２では、意匠性の高いテープ部材を使用しており、スプリングワイヤーを覆うようにテープ部材が使用されている。
【００３０】
以下、本考案の実施形態に係る携帯式パーテーション１の使用方法の例について説明する。
図３は本考案の実施形態に係る携帯式パーテーション１の収納過程を示す写真である。
使用者は、展開状態の携帯式パーテーション１（図３（ａ））において、スプリングワイヤーからなる枠体１０を把持し、８の字になるように捻曲する（図３（ｂ））。さらに、枠体１０を二つ折り又は三つ折りにすることで携帯式パーテーション１を小さく畳むことができる（図３（ｃ））。
本実施形態に係る携帯式パーテーション１では、収納状態（図３（ｃ））の場合、直径１８ｃｍ程度にコンパクトになり、容易に持ち運べることができる。
【００３１】
また、使用者は、収納状態の枠体１０を把持し、伸展することで、一瞬で展開状態（図３（ａ））に変形でき、パーテーションとして利用することができる。
【００３２】
上述の通り、本考案の実施形態に係る携帯式パーテーション１は、持ち運び可能なパーテーションであり、使用者は、これを携帯することができ、収納状態の携帯式パーテーション１を鞄等に入れて持ち運び、使用者は、移動先において収納状態の携帯式パーテーション１の枠体１０を把持し、展開させ、机上に自立させることができる。
また、使用後は、机上より携帯式パーテーション１を取り外し、携帯式パーテーション１の枠体１０を把持し、捻曲することでコンパクトに折り畳み、収納状態を維持することができる。
【００３３】
このように、携帯式パーテーション１を使用することによって、使用者は、パーテーションを設置していない移動先でパーテーションを利用することができるため、必要な時に飛沫感染のリスクを回避することができる。
【００３４】
以上、図面を参照して本考案の実施形態について述べたが、今回開示された実施形態はすべての点で例示であって制限的なものではなく、いろいろな変形例が可能なこと、また、そうした変形例も本考案の範囲にあることは当業者に理解されるところがある。また、今回開示された実施形態において、明示的に開示されていない事項は、例えば、構造物の寸法、重量、体積などは、当業者が通常実施する範囲を逸脱するものではなく、通常の当業者であれば、容易に想定することが可能な値を想定している。
【００３５】
例えば、上記携帯式パーテーション１は、パーテーション部２を一人用に適した大きさとしているが、人数が異なる場合にはそれに適した大きさとすることができ、使用方法に応じて、形状を任意に変更可能である。
【００３６】
また、上記携帯式パーテーション１は、パーテーション部２を自立可能に支持するためにスタンド部１２を有しており、プラスチック素材で形成されているが、材質はこれに限定されない。本考案のスタンド部１２は２本でパーテーション部２を自立可能に支持しているが、パーテーション部２の大きさに適した本数に適宜変更可能である。
【００３７】
また、上記携帯式パーテーション１における、可撓性シート１１は枠体１０の内側に貼付され固定されているが、着脱可能にすることができる。
【００３８】
また、上記携帯式パーテーション１は、パーテーション部２を自立可能に支持するためにスタンド部１２を有しており、スタンド部１２は伸縮可能であり長さを変更することができる。
【産業上の利用可能性】
【００３９】
本考案によれば、必要な場所で、必要な時に容易に展開し使用することができ、使用後は容易に収納可能であり、コンパクトになるため持ち運びに適している携帯式パーテーションが提供されるため、産業上有望である。
【符号の説明】
【００４０】
１  携帯式パーテーション
２  パーテーション部
１０  枠体
１１  可撓性シート
１２  スタンド部
１３  吸盤
【図１】
0003234145.tif 000003
【図２】
0003234145.tif 000004
【図３】
0003234145.tif 000005
【図４】
0003234145.tif 000006
【図５】
0003234145.tif 000007